(57)【要約】【課題】  情報記録時に磁気ヘッドのギャップ近傍にレーザ光をより正確に集光して安定動作させるための光アシスト記録方式の情報記録装置及びヘッドの位置決め方法を提供する。【解決手段】  情報記録媒体に光及び外部磁界を与えて情報を記録する情報記録装置において、情報記録媒体に外部磁界を印加する磁気ヘッドと、情報記録媒体を挟んで磁気ヘッドと対向する位置に配置され、情報記録媒体に光を照射する光ヘッドとを備え、光ヘッドからの照射光を該情報記録媒体を透過させて磁気ヘッドに照射し、磁気ヘッドからの反射光を検知して光ヘッドと磁気ヘッドとの相対位置を調整する。【選択図】  図１
2006048780.tif 000002
【特許請求の範囲】
【請求項１】
情報記録媒体に光及び外部磁界を与えて情報を記録する情報記録装置において、
該情報記録媒体に外部磁界を印加する磁気ヘッドと、
該情報記録媒体を挟んで該磁気ヘッドと対向する位置に配置され、該情報記録媒体に光を照射する光ヘッドとを備え、
該光ヘッドから放射された光を該情報記録媒体を透過させて該磁気ヘッドに照射し、該磁気ヘッドからの反射光に基いて、該光の照射方向とは垂直な方向の該光ヘッドと該磁気ヘッドとの相対位置が調整されることを特徴とする情報記録装置。
【請求項２】
さらに、上記磁気ヘッドからの反射光を検知する４分割検出器を備える請求項１に記載の情報記録装置。
【請求項３】
情報記録媒体に光及び外部磁界を与えて情報を記録する情報記録装置において、
該情報記録媒体に外部磁界を印加する磁気ヘッドと、
該情報記録媒体を挟んで該磁気ヘッドと対向する位置に配置され、該情報記録媒体に光を照射する光ヘッドと、
該磁気ヘッドからの反射光を検出する検出器とを備えた情報記録装置。
【請求項４】
請求項１〜３のいずれか一項に記載の情報記録装置で情報の記録再生が行われる情報記録媒体。
【請求項５】
上記情報記録媒体が、基板と、該基板上に形成された熱制御層と、該熱制御層上に形成された記録層と、該記録層上に形成された保護層とを備えることを特徴とする請求項４に記載の情報記録媒体。
【請求項６】
上記情報記録媒体の透過率が２５％以上であることを特徴とする請求項４または５に記載の情報記録媒体。
【請求項７】
上記情報記録媒体の透過率が５０％以上であることを特徴とする請求項４または５に記載の情報記録媒体。
【請求項８】
情報記録媒体に外部磁界を印加する磁気ヘッドと、該情報記録媒体を挟んで該磁気ヘッドと対向する位置に配置され、該情報記録媒体に光を照射する光ヘッドとを備え、該情報記録媒体に光及び外部磁界を与えて情報を記録する情報記録装置のヘッド位置決め方法であって、
該光ヘッドから放射された光を該情報記録媒体を透過させて該磁気ヘッドに照射することと、
該磁気ヘッドからの反射光を検知することと、
該検知された反射光に基いて、該光の照射方向とは垂直な方向の該光ヘッドと該磁気ヘッドとの相対位置を調整することとを含むヘッドの位置決め方法。
【発明の詳細な説明】
【技術分野】
【０００１】
本発明は、情報を磁気マークとして記録する情報記録装置及びヘッドの位置決め方法に関し、より詳細には、記録膜の所定領域に光を照射して加熱しながら外部磁界を印加して情報を記録する情報記録装置及びヘッドの位置決め方法に関する。
【背景技術】
【０００２】
近年の情報ネットワークの進展及びマルチメディアの普及に伴い、これを支える主要な情報記録装置である磁気ディスク装置では、装置の大容量化、小型化及び低価格化が重要な課題となっている。
【０００３】
現在実用化されている磁気ディスク装置では、面内磁気記録方式が採用されている。面内磁気記録方式とは、ディスク面と平行な方向に磁化し易い磁性膜を記録膜として備えた磁気ディスクを用い、面内方向の磁化を有する磁区を記録膜に形成して情報記録を行う記録方式である。このような面内磁気記録方式では、磁気ディスクの記録膜の膜厚を大きくすると、磁化方向の異なる磁区同士の境界から生じる磁界（いわゆる反磁界）が微小磁区の形成を阻害するため、高密度記録が困難となる。それゆえ、面内磁気記録方式の磁気ディスクでは、記録密度を向上させるために記録膜の膜厚を薄くする必要があった。
【０００４】
しかしながら、記録膜の膜厚を非常に薄くすると、室温においても記録磁区の熱揺らぎが発生し、時間の経過に伴って記録磁区の磁化が減少してしまう。そのような磁化が減少した記録磁区を再生したときには再生出力が低下するという問題が生じる。この問題を解決する方法として記録膜の保磁力を高くする方法が考えられるが、保磁力を高くすると記録ヘッドの磁界が不足して十分な記録ができず、データ再生に十分な信号が得られないという問題があった。
【０００５】
これらの問題を解決して磁気ディスクの高密度化を達成する方法として、磁気ヘッドに半導体レーザを装着して、半導体レーザから放射されるレーザビームを磁気ディスクの所定領域に照射しながらその所定領域に磁気ヘッドで磁界を印加して情報を記録する方法（いわゆる、光アシスト磁気記録方式）が提案されている（例えば、特開平３−１８９９０５号公報参照）。この記録方法では、レーザビームを磁気記録媒体に照射することにより、磁気記録媒体を局所的に加熱して、その加熱された領域の保磁力を一時的に低下させることができる。それゆえ、磁気ヘッドから印加される記録磁界が磁気記録媒体の保磁力よりも小さくても情報を記録することができる。
【０００６】
特開平４−１７６０３４号公報にもまた光アシスト磁気記録方法が開示されている。この文献では、特に、補償温度が略室温であるフェリ磁性体からなる記録層を備える磁気記録媒体に対して、再生時には記録層の再生部位に光ビームを照射して昇温し、再生部位の磁化を大きくして、再生部位から漏れる磁束を検知することにより情報を再生する方法が開示されている。
【０００７】
また、特開平６−２４３５２７号公報にも光アシスト磁気記録方法が開示されており、この文献ではスライダ上に磁気ヘッド及び半導体レーザを固定して備える磁気記録装置が開示されている。この文献には、レーザ光の照射により加熱された高温状態の書き込み部分と磁気ヘッド対向位置との関係が開示されており、この文献の磁気記録装置では、レーザ光の照射により加熱された高温領域内に磁気ヘッド対向位置が存在する。
【０００８】
上述の文献で開示されている光アシスト磁気記録方式の情報記録装置では、磁気ヘッド及び光ヘッドを１つのスライダ上に設けた磁気記録装置が提案されている。しかしながら、実際に、磁気ヘッド及び光ヘッドを１つのスライダ上に作製することは極めて困難である。この課題を解決するために、磁気ディスクの磁気ヘッド走行面とは反対側（基板側）の面から、レンズを用いて絞り込んだレーザ光を磁気ディスクの記録層に照射する方法が提案されている（例えば、特許文献１及び２参照）。このような方法においても、記録膜の保磁力を十分低下させて情報を記録することが可能であり、高密度化が達成されている。
【０００９】
【特許文献１】特開２００１−２４３６１２号公報（第６頁、第７図）
【特許文献２】特開２００１−２１６６３０号公報（第１１頁、第５−６図）
【発明の開示】
【発明が解決しようとする課題】
【００１０】
特許文献１及び２に示されているような光アシスト磁気記録方式の記録再生装置において、より精度良く情報を高密度記録し、安定動作させるためには、情報記録時に磁気ヘッドのヘッド表面の中心近傍にレーザ光を正確に集光する必要がある。本発明はこの課題を解決するためになされたものであり、本発明の目的は、情報記録時に磁気ヘッドのヘッド表面の中心近傍にレーザ光をより正確に集光することが可能な光アシスト磁気記録方式の情報記録装置及びヘッドの位置決め方法を提供することである。
【課題を解決するための手段】
【００１１】
本発明の第１の態様に従えば、情報記録媒体に光及び外部磁界を与えて情報を記録する情報記録装置において、該情報記録媒体に外部磁界を印加する磁気ヘッドと、該情報記録媒体を挟んで該磁気ヘッドと対向する位置に配置され、該情報記録媒体に光を照射する光ヘッドとを備え、該光ヘッドから放射された光を該情報記録媒体を透過させて該磁気ヘッドに照射し、該磁気ヘッドからの反射光に基いて、該光の照射方向とは垂直な方向の該光ヘッドと該磁気ヘッドとの相対位置が調整されることを特徴とする情報記録装置が提供される。
【００１２】
本発明の情報記録装置では、さらに、上記磁気ヘッドからの反射光を検知する４分割検出器を備えることが好ましい。
【００１３】
本発明の第２の態様に従えば、情報記録媒体に光及び外部磁界を与えて情報を記録する情報記録装置において、該情報記録媒体に外部磁界を印加する磁気ヘッドと、該情報記録媒体を挟んで該磁気ヘッドと対向する位置に配置され、該情報記録媒体に光を照射する光ヘッドと、該磁気ヘッドからの反射光を検出する検出器とを備えた情報記録装置が提供される。
【００１４】
本発明の情報記録装置は光アシスト磁気記録方式の情報記録装置であり、情報記録媒体を挟んで対向する位置に光ヘッドと磁気ヘッドとを配置した情報記録装置である。本発明の情報記録装置の一例を図１に示す。図１の情報記録装置１００では、情報記録時に磁気ヘッド２のヘッド表面の中心近傍にレーザ光を正確に集光するために、次のような動作で磁気ヘッド及び／又は光ヘッドの位置決めを行う。
【００１５】
まず、光ヘッド３からの放射光を情報記録媒体４０を透過させて磁気ヘッド２表面に照射する。この際、磁気ヘッド２表面の磁極（コア）は反射率が高いので、磁気ヘッド２表面に照射された光は磁気ヘッド２表面で反射する。次いで、磁気ヘッド２からの反射光を検出器８で検知する。次いで、検出器８で検知された反射光に基いて、磁気ヘッド２のヘッド表面の中心近傍に光ヘッド３からの放射光が照射されるように、光ヘッド３及び／又は磁気ヘッド２を光の照射方向と直交する方向に移動させて、光ヘッド３と磁気ヘッド２との光の照射方向と直交する方向の相対位置を調整する。本発明の情報記録装置では磁気ヘッドからの反射光を検知して光ヘッドと磁気ヘッドとの相対位置を調整することができるので、リアルタイムで正確に且つ容易に光ヘッド及び磁気ヘッドの相対的な位置決めが可能となり、より精度良く情報の高密度記録が可能になる。
【００１６】
図１中の磁気ヘッド２からの反射光を検知する検出器８としては、例えば、図３に示すような４分割検出器８が好ましい。なお、磁気ヘッド２からの反射光を検知する検出器８は、図１の例のように光ヘッド３内に設けても良いし、光ヘッド３の外部に設けても良い。図３の４分割検出器８では、反射光強度を検出する４つの受光素子８ａ〜８ｄから構成されており、情報記録媒体のトラックの周方向及び径方向にそれぞれ２列ずつ受光素子が配置されている。
【００１７】
図３の４分割検出器８の受光素子８ａ、８ｂ、８ｃ及び８ｄで検出される反射光の信号強度をそれぞれＡ、Ｂ、Ｃ及びＤとすると、本発明の情報記録装置１００では、例えば、各受光素子８ａ〜８ｄでそれぞれ検出された反射光強度Ａ〜Ｄから、周方向差動信号＝（Ａ＋Ｂ）−（Ｃ＋Ｄ）、及び、径方向差動信号＝（Ａ＋Ｃ）−（Ｂ＋Ｄ）を算出する。周方向差動信号は光ヘッド及び／又は磁気ヘッドのトラックの周方向の位置を制御するための信号であり、径方向差動信号は光ヘッド及び／又は磁気ヘッドのトラックの径方向の位置を制御するための信号である。
【００１８】
また、図３は、図２に示すような面内磁気記録用磁気ヘッド２のヘッド表面の中心近傍（図２では、上層軟磁性コア２１と下層軟磁性コア２２との間に画成された空隙ギャップ部２４近傍）に光を照射し、磁気ヘッド２からの反射光４００を４分割検出器８で検知した際の様子を示した図である。図２に示すような磁気ヘッド２では、上層軟磁性コア２１及び下層軟磁性コア２２は反射率が高く、その他の部分はセラミック等で形成されているので反射率が低くなる。それゆえ、４分割検出器８で検出される反射光４００内では、磁気ヘッド２の上層軟磁性コア２１及び下層軟磁性コア２２からの反射光に対応する領域、すなわち、図３中の破線４０１及び４０２で囲まれる領域の反射光強度が高くなり、その他の領域４０３では反射光強度は低くなる。
【００１９】
照射光が磁気ヘッドの中心（図２中の空隙ギャップ部２４の中心）に照射されている場合には、図３に示すように、各受光素子８ａ〜８ｄで検出される反射光の信号強度は同じ強度となるので、周方向差動信号及び径方向差動信号は共にほぼ０となる。しかしながら、照射光が磁気ヘッドの中心からずれた場合には、各受光素子８ａ〜８ｄで検出される反射光の信号強度が異なるので、周方向差動信号及び径方向差動信号の少なくとも一方はほぼ０でなくなる。それゆえ、本発明の情報記録装置では、磁気ヘッドからの反射光により得られる周方向差動信号及び径方向差動信号が共にほぼ０となるように、光ヘッド及び／又は磁気ヘッドを２次元アクチュエータ等によりトラックの周方向及び／又は径方向に移動させて光ヘッドと磁気ヘッドとの相対位置を調整する。なお、図１の情報記録装置で光ヘッド３を移動させて位置決めを行う場合には、光ヘッド３内の対物レンズ４を移動させて位置決めを行っても良い。また、図１の情報記録装置で磁気ヘッド２を移動させて位置決めを行う場合には、スライダ１を移動させて磁気ヘッド２の位置決めを行っても良い。
【００２０】
本発明の第３の態様に従えば、第１及び第２の態様に従う情報記録装置で情報の記録再生が行われる情報記録媒体が提供される。
【００２１】
本発明の情報記録媒体では、基板と、該基板上に形成された熱制御層と、該熱制御層上に形成された記録層と、該記録層上に形成された保護層とを備えることが好ましい。情報記録層は情報が磁気的に記録される層であり、熱制御層は光アシスト磁気記録方式で情報を記録層に記録する際に、記録層に与えられる熱を制御するための層である。
【００２２】
また、本発明の情報記録媒体では、上記情報記録媒体の透過率が２５％以上であることが好ましく、特に、上記情報記録媒体の透過率が５０％以上であることが好ましい。
【００２３】
本発明の第４の態様に従えば、情報記録媒体に外部磁界を印加する磁気ヘッドと、該情報記録媒体を挟んで該磁気ヘッドと対向する位置に配置され、該情報記録媒体に光を照射する光ヘッドとを備え、該情報記録媒体に光及び外部磁界を与えて情報を記録する情報記録装置のヘッド位置決め方法であって、該光ヘッドから放射された光を該情報記録媒体を透過させて該磁気ヘッドに照射することと、該磁気ヘッドからの反射光を検知することと、該検知された反射光に基いて、該光の照射方向とは垂直な方向の該光ヘッドと該磁気ヘッドとの相対位置を調整することとを含むヘッドの位置決め方法が提供される。
【発明の効果】
【００２４】
本発明の情報記録装置及びヘッド位置決め方法によれば、光ヘッドからの放射光を情報記録媒体を透過させて磁気ヘッド表面に照射し、磁気ヘッドからの反射光に基いて光ヘッドと磁気ヘッドとの相対位置を調整することができるので、リアルタイムでより正確に且つ容易に光ヘッド及び磁気ヘッドの相対的な位置合わせが可能になる。それゆえ、本発明の情報記録装置及びヘッド位置決め方法では、精度良く且つより安定した高密度記録が可能になる。
【発明を実施するための最良の形態】
【００２５】
以下、本発明に従う情報記録装置及びヘッド位置決め方法の実施例について、図面を参照してさらに詳細に説明するが、本発明はこれらに限定されるものではない。
【実施例】
【００２６】
［情報記録装置］
実施例の情報記録装置の概略構成図を図１に示した。この例の情報記録装置１００は、光アシスト磁気記録方式の情報記録装置であり、図１に示すように、磁気ヘッド２が組み込まれた浮上スライダ１と、スライダ１の位置を制御するための磁気ヘッド用アクチュエータ１７と、光ヘッド３と、磁気ヘッド用アクチュエータ１７及び後述の光ヘッド用アクチュエータ５を制御するためのコントローラ１９とから構成される。この例の情報記録装置１００では、図１に示すように、光ヘッド３から照射されるレーザ光が浮上スライダ１内の磁気ヘッド２の表面に照射されるように、光ヘッド３及び磁気ヘッド２が磁気ディスク４０を挟んで対向する位置に配置されており、光ヘッド３は磁気ディスク４０の基板４１側に配置されている。また、磁気ヘッド用アクチュエータ１７とスライダ１とは、図１に示すように、アーム１８を介して接続されている。
【００２７】
この例で用いた磁気ヘッド２の概略構成図を図２に示す。この例で用いた磁気ヘッド２は、面内磁気記録用の磁気ヘッドであり、図２（ａ）に示すように、主に、上層軟磁性コア２１と、下層軟磁性コア２２と、下層軟磁性コア２２に巻かれたコイル２３とから構成される。上層軟磁性コア２１及び下層軟磁性コア２２は、ＦｅＮｉ合金、Ｃｏ合金等で形成されている。この例の磁気ヘッド２では、図２（ａ）に示すように、上層軟磁性コア２１及び下層軟磁性コア２２の先端部（図２中では下端部）、すなわち、磁気ヘッド２のヘッド表面に上層軟磁性コア２１と下層軟磁性コア２２との間に画成された空隙ギャップ部２４が形成されている。このような面内磁気記録用の磁気ヘッド２では、コイル２３に電流を流すことにより、上層軟磁性コア２１と下層軟磁性コア２２との間に画成された空隙ギャップ部２４に磁界が発生する。
【００２８】
一方、光ヘッド３は、図１に示すように、対物レンズ４と、対物レンズ４の位置を制御するための光ヘッド用アクチュエータ５と、情報記録時に磁気ディスク２０を加熱するためのレーザ光を放射する半導体レーザ６と、レーザ光のフォーカス位置を検出するためのフォーカス系検出器７と、レーザ光の照射方向と直交する方向の照射位置を検出するための位置決め検出器８と、２つのビームスプリッタ９，１０、コリメータレンズ１１、２つの集光レンズ１２，１３及び２つのプリズム１４の光学素子とを備える。なお、この例では、光ヘッド用アクチュエータ５は対物レンズ４の位置を３次元で調整可能とする。
【００２９】
この例の情報記録装置１００の光ヘッド３では、図１に示すように、半導体レーザ６と対物レンズ４との間の光路には、対物レンズ４側からビームスプリッタ９、２つのプリズム１４及びコリメータレンズ１１の光学素子が配置されている。また、ビームスプリッタ９と位置決め検出器８との間の光路には、図１に示すように、ビームスプリッタ９側からビームスプリッタ１０及び集光レンズ１３が配置されている。さらに、ビームスプリッタ１０とフォーカス系検出器７との間の光路には、図１に示すように、集光レンズ１２が配置されている。
【００３０】
次に、この例の情報記録装置１００で用いたヘッドの位置決め検出器８及びヘッドの位置決め原理について説明する。この例で用いた位置決め検出器８の概略構成図を図３に示した。この例では、図３に示すように、位置決め検出器８として４分割受光素子（４分割検出器）を用いた。この例の位置決め検出器８は、図３に示すように、４つの受光素子８ａ〜８ｄからなり、４つの受光素子８ａ〜８ｄはトラックの周方向及び径方向にそれぞれ２列ずつ配置されている。
【００３１】
位置決め検出器８を構成する受光素子８ａ、８ｂ、８ｃ及び８ｄで検出される反射光の信号強度をそれぞれＡ、Ｂ、Ｃ及びＤとすると、この例の位置決め検出器８の各受光素子８ａ〜８ｄで検出される反射光の信号強度Ａ〜Ｄはコントローラ１９に送られ、コントローラ１９で周方向差動信号＝（Ａ＋Ｂ）−（Ｃ＋Ｄ）、及び、径方向差動信号＝（Ａ＋Ｃ）−（Ｂ＋Ｄ）が算出される。なお、周方向差動信号は光ヘッド３及び／又は磁気ヘッド２のトラックの周方向の位置を制御するための信号であり、径方向差動信号は光ヘッド３及び／又は磁気ヘッド２のトラックの径方向の位置を制御するための信号である。
【００３２】
また、図３は、磁気ヘッド２からの反射光（図３中の破線４００）を位置決め検出器８で検知した際の様子を示した図であり、図２に示した磁気ヘッド２のヘッド表面の中心近傍（図２では、上層軟磁性コア２１と下層軟磁性コア２２との間に画成された空隙ギャップ部２４近傍）に光を照射した場合の反射光強度分布の様子を示した図である。図２に示すような磁気ヘッド２では、上層軟磁性コア２１及び下層軟磁性コア２２は反射率が高く、その他の部分はセラミック等で形成されているので反射率が低くなる。それゆえ、位置決め検出器８で検出される反射光４００内では、磁気ヘッド２の上層軟磁性コア２１及び下層軟磁性コア２２からの反射光に対応する領域、すなわち、図３中の破線４０１及び４０２で囲まれる領域の反射光強度が高くなり、その他の領域４０３では反射光強度は低くなる。
【００３３】
レーザ光が磁気ヘッド２の中心（図２中の空隙ギャップ部２４の中心）に照射されている場合には、図３に示すように、各受光素子８ａ〜８ｄで検出される反射光の信号強度が等しくなるので、コントローラ１９で算出される周方向差動信号及び径方向差動信号は共にほぼ０となる。しかしながら、レーザ光が磁気ヘッド２の中心からずれた場合には、各受光素子８ａ〜８ｄで検出される反射光の信号強度が異なるので、コントローラ１９で算出される周方向差動信号及び径方向差動信号の少なくとも一方はほぼ０でなくなる。
【００３４】
それゆえ、この例の情報記録装置１００では、磁気ヘッド２からの反射光から得られる周方向差動信号及び径方向差動信号が共にほぼ０となるように、コントローラ１９で光ヘッド用アクチュエータ５及び／又は磁気ヘッド用アクチュエータ１７を制御して光ヘッド３及び／又は磁気ヘッド２をトラックの周方向及び／又は径方向に移動させ、光ヘッド３と磁気ヘッド２との相対位置を調節する。このような方法でヘッドの位置決めを行うことにより、光アシスト磁気記録方式において、高精度で容易に情報記録することが可能になる。
【００３５】
この例の情報記録装置１００では、光ヘッド３と磁気ヘッド２との相対位置を調整する際、図１に示すように、磁気ヘッド２からの反射光から得られる周方向差動信号及び径方向差動信号に基いて、コントローラ１９から出力される制御信号（図１中の破線矢印１９ｂ及び１９ｃ）により光ヘッド３及び磁気ヘッド２の両方をトラックの周方向及び／又は径方向に移動させることが可能な構成となっているが、光ヘッド３及び磁気ヘッド２のいずれか一方をトラックの周方向及び／又は径方向に移動させても良い。ただし、光ヘッド３を移動させる場合には、対物レンズ４を移動させて光ヘッド３の位置決めを行うことが好ましい。また、磁気ヘッド２を移動させる場合には、記録ヘッド２が組み込まれているスライダ１を移動させて磁気ヘッド２の位置決めを行うことが好ましい。なお、この例では、状況（例えば、調整直前の光ヘッド３と磁気ヘッド２との相対位置）に応じて光ヘッド３及び磁気ヘッド２の両方あるいはいずれか一方を駆動させるようにコントローラ１９で光ヘッド用アクチュエータ５及び磁気ヘッド用アクチュエータ１７を制御した。
【００３６】
［磁気ディスク］
この例の情報記録装置１００で記録再生した磁気ディスク４０の概略断面図を図４に示した。この例で用いた磁気ディスク４０は、図４に示すように、基板４１上に、熱制御層４２、記録層４３及び保護層４４を順次積層した構成とした。記録層４３は情報が磁気的に記録される層であり、熱制御層４２は光アシスト記録方式で記録層４３に情報を記録する際に記録層４３に与えられる熱を制御するための層である。保護層４４は記録層４３を保護するための層である。
【００３７】
この例で用いた磁気ディスク４０は次のようにして作製した。まず、直径２．５インチ（約６．３５ｃｍ）、厚さ０．６ｍｍのガラス基板１を用意した。次いで、基板４１上に、熱制御層４２としてＡｌＴｉ２膜をＲＦマグネトロンスパッタ法により形成した。熱制御層４２の膜厚は５ｎｍとした。次いで、熱制御層４２上に、記録層４３としてＴｂ１８Ｆｅ６８Ｃｏ１４合金膜をＲＦマグネトロンスパッタ法により形成した。記録層４３の膜厚は４０ｎｍとした。最後に、記録層４３上に、保護層４４としてＣ（カーボン）膜をＤＣマグネトロンスパッタ法により形成した。保護層４４の膜厚は５ｎｍとした。このようにして、この例で用いた磁気ディスク４０を作製した。
【００３８】
また、この例では、磁気ディスク４０の透過率が１０〜８０％の範囲である種々の磁気ディスク４０を作製した。磁気ディスクの透過率は熱制御総４２の膜厚及び記録層４３の膜厚を変化させることにより調整した。
【００３９】
［情報記録及びヘッドの位置決め方法］
この例の情報記録装置における情報の記録方法を図１を用いて説明する。まず、光ヘッド３内の半導体レーザ６からレーザ光を放射する。半導体レーザ６から放射されたレーザ光は、コリメータレンズ１１で平行光に変換された後、２つのプリズム１４でビーム整形される。次いで、レーザ光はビームスプリッタ９を通して対物レンズ４に入射される。対物レンズ４に入射されたレーザ光は、対物レンズ４により磁気ヘッド２のコアの空隙ギャップ近傍上の記録層に集光される。次いで、レーザ光の照射により加熱されて保磁力が小さくなった記録層の領域に、磁気ヘッド２から磁界を印加して情報を記録する。
【００４０】
なお、この例の情報記録装置におけるレーザ光のフォーカス制御は次の手順で行った。磁気ディスク４０からの反射光をフォーカス系検出器７で検出し、検出した反射光に基いて光ヘッド用アクチュエータ５をフィードバック制御し（図１中の破線矢印１９ｂ）、対物レンズ４をレーザ光の照射方向に移動させてフォーカス位置を調整した。なお、この例の情報記録装置でレーザ光を集光する際のフォーカス制御では、通常の光ディスクドライブと同様に、非点収差方式、ナイフエッジ法等により得られる信号によりレーザ光のフォーカス位置を検出し、この信号により光ヘッド用アクチュエータ５をコントローラ１９でフィードバック制御した。
【００４１】
次に、この例の情報記録装置における光ヘッド及び記録ヘッドのレーザ光の照射方向に直交する方向の相対位置の位置決め方法を図１及び図６を用いて具体的に説明する。まず、光ヘッド３内の半導体レーザ６から放射されたレーザ光を磁気ディスク４０に照射する（図６中のステップＳ１）。この際、磁気ディスク４０の透過率が０でなければ、レーザ光は磁気ディスク４０を透過して磁気ヘッド２表面のコアの空隙ギャップ部２４近傍に照射される。この様子を示したのが、図２（ｂ）であり、記録ヘッド２の上層軟磁性コア２１及び下層軟磁性コア２２がレーザ光３００のスポット径の内部に収まるように、レーザ光を磁気ヘッド２表面に照射する。この際、磁気ヘッド２の上層軟磁性コア２１及び下層軟磁性コア２２の反射率は高いので、磁気ヘッド２からの反射光が光ヘッド３に戻ってくる。
【００４２】
次いで、光ヘッド３に戻ってきた反射光は、図１に示すように、対物レンズ４を通過して、ビームスプリッタ９に入射し、ビームスプリッタ９により分離される。ビームスプリッタ９で分離された反射光１６は、図１に示すように、ビームスプリッタ１０及び集光レンズ１３を介して位置決め検出器８に導かれる。
【００４３】
次いで、位置決め検出器８に導かれた反射光の信号強度を図３に示すような４分割受光素子８ａ〜８ｄで検出され（図６中のステップＳ２）、検出信号はコントローラ１９に入力される（図１中の破線矢印１９ａ）。次いで、コントローラ１９で、各受光素子８ａ〜８ｄで検出された反射光のそれぞれの信号強度Ａ〜Ｄから、周方向差動信号（Ａ＋Ｂ）−（Ｃ＋Ｄ）及び径方向差動信号（Ａ＋Ｃ）−（Ｂ＋Ｄ）が算出される（図６中のステップＳ３）。
【００４４】
次いで、コントローラ１９で算出された周方向差動信号及び径方向差動信号が共に０であるかどうか判定する（図６中のステップＳ４）。周方向差動信号及び径方向差動信号が共に０である場合には、光ヘッド３から照射されたレーザ光が、磁気ヘッド２のコアの空隙ギャップ部２４の中心に照射されていることになるので、光ヘッド３と磁気ヘッド２の相対位置を変えずにその状態で情報記録を行う。
【００４５】
図６中のステップＳ４で周方向差動信号及び径方向差動信号の少なくとも一方は０でない場合には、光ヘッド３からのレーザ光の照射位置が磁気ヘッド２の中心からずれているので、周方向差動信号及び径方向差動信号が共に０となるように、コントローラ１９の制御信号１９ｂ及び／又は１９ｃに基いて光ヘッド用アクチュエータ５及び／又は磁気ヘッド用アクチュエータ１７を駆動して光ヘッド３（この例では対物レンズ４）及び／又は磁気ヘッド２（この例ではスライダ１）をトラックの周方向及び／又は径方向に移動させる（図６中のステップＳ５）。その後は、図６に示すように、図６中のステップＳ３に戻り上記動作を繰り返す。そして、図６中のステップＳ４で周方向差動信号及び径方向差動信号が共に０となった時点で情報記録を行う。なお、ここでは、光ヘッド３と磁気ヘッド２との相対位置を周方向差動信号及び径方向差動信号に基いてフィードバック制御を行っている間は、レーザー光は照射し続け、磁気ヘッド２からの反射光も検出し続けるものとする。なお、図６では、周方向差動信号及び径方向差動信号が共に０となるように制御したが、本発明はこれに限定されず、周方向差動信号及び径方向差動信号が共に０から若干ずれた所定範囲内の値になるように制御しても良く、その許容範囲は状況に応じて適宜設定しうる。
【００４６】
［ヘッドの位置決め試験］
次に、この例で作製した透過率の異なる各磁気ディスク４０を図１の情報記録装置１００にそれぞれ装着して、図６に示したフローチャートに従って、ヘッドの位置決め試験を行った。その結果、透過率が２５％以上となる磁気ディスク４０で良好にヘッドの位置決めが可能であることが分かった。
【００４７】
［応用例］
この例では、図５に示すような基板４１の両面に熱制御層４２、記録層４３及び保護層４４を順次設けた磁気ディスク５０を作製した。熱制御層４２、記録層４３及び保護層４４を基板４１の両面に設けたこと以外は、実施例と同様にして、磁気ディスク５０を作製した。また、この例では、実施例と同様にして、透過率の異なる種々の磁気ディスク５０を作製した。
【００４８】
この例で作製した透過率の異なる種々の磁気ディスク５０に対しても実施例と同様に、図１の情報記録装置１００に装着して、ヘッドの位置決め試験を行った。その結果、透過率が５０％以上となる磁気ディスク５０で良好にヘッドの位置決めが可能であることが分かった。
【００４９】
上記実施例の情報記録装置では、面内磁気記録用の記録ヘッドについて説明したが、本発明はこれに限定されない。垂直磁気記録方式に用いられるリングヘッド、あるいは、単磁極の記録ヘッドであっても、図３に示すような４分割受光素子から周方向差動信号及び径方向差動信号が実施例同様に得られるので、原理上、同様に適用可能であり同様の効果が得られる。
【産業上の利用可能性】
【００５０】
本発明の情報記録装置及びヘッド位置決め方法によれば、光ヘッドからの放射光を情報記録媒体を透過させて磁気ヘッド表面に照射し、磁気ヘッドからの反射光を検知してレーザ光の照射方向に直交する方向の光ヘッドと磁気ヘッドとの相対位置を調節するので、リアルタイムで正確に且つ容易に光ヘッド及び磁気ヘッドの相対的な位置合わせが可能になる。それゆえ、本発明の情報記録装置及びヘッド位置決め方法では、より精度良く且つ安定した高密度記録が可能になるので、光アシスト磁気記録方式の情報記録装置として好適である。
【図面の簡単な説明】
【００５１】
【図１】図１は、実施例の情報記録装置の概略構成図である。
【図２】図２は、実施例の情報記録装置で用いた記録ヘッドの概略構成図であり、図２（ａ）は概略断面図であり、図２（ｂ）はレーザ光入射側から見た記録ヘッドの概略平面図である。
【図３】図３は、実施例の情報記録装置で用いた位置決め検出器の概略構成図である。
【図４】図４は、実施例で作製した磁気ディスクの概略断面図である。
【図５】図５は、応用例で作製した磁気ディスクの概略断面図である。
【図６】図６は、本発明のヘッド位置決め方法のフローチャートである。
【符号の説明】
【００５２】
１  スライダ
２  磁気ヘッド
３  光ヘッド
４  対物レンズ
５  光ヘッド用アクチュエータ
６  半導体レーザ
７  フォーカス系検出器
８  位置決め検出器
１７  磁気ヘッド用アクチュエータ
１９  コントローラ
４０，５０  磁気ディスク
１００  情報記録装置
【図１】
2006048780.tif 000003
【図２】
2006048780.tif 000004
【図３】
2006048780.tif 000005
【図４】
2006048780.tif 000006
【図５】
2006048780.tif 000007
【図６】
2006048780.tif 000008